(57)【要約】【課題】ユーザ毎にカスタマイズされたメニュー画面をＭＦＰの表示部に表示することが可能な機能を提供する。【解決手段】認証サーバは、ＭＦＰからユーザ情報を受信し、当該ユーザの利用可能なサービスに係る情報を取得する。そして、認証サーバは、取得したサービス情報に基づいて、当該ユーザの利用可能なサービスを選択することのできる選択機能を有するメニュー画面情報を作成する。ＭＦＰは、認証サーバから提供されるカスタマイズされたメニュー画面情報を受信し、表示装置に表示する。【選択図】図１１
2008104143.tif 000002
【特許請求の範囲】
【請求項１】
画像管理装置と、ネットワークを介して前記画像管理装置に接続され、複数機能を有する複合画像処理装置と、から構成される画像処理システムであって、
前記画像管理装置は、
各ユーザと、該ユーザが前記複合画像処理装置で利用する権限を有する機能を特定する情報と、を対応付ける機能情報を記憶する機能情報記憶手段と、
前記画像処理装置から送信されたユーザ識別情報を受信し、受信したユーザ識別情報で特定されるユーザが利用する権限を有する機能を特定する機能情報を、前記機能情報記憶手段から取得する機能情報取得手段と、
前記機能情報取得手段が取得した機能情報に基づいて、該ユーザが利用する権限を有する機能のメニューを用意し、該メニューを前記複合画像処理装置に送信するメニュー送信手段と、を備え、
前記複合画像処理装置は、
ユーザのユーザ識別情報の入力を受け付け、入力されたユーザ識別情報を前記画像管理装置に送信する手段と、
前記メニュー送信手段から送信されたメニューを受信し、受信したメニューを表示する表示手段と、
ユーザの操作に応答して、前記メニューから任意の機能を選択する選択手段と、
前記選択手段によって選択された機能を実現する処理を実行する実行手段と、
を備える、
ことを特徴とする画像処理システム。
【請求項２】
ネットワークを介して複合画像処理装置に接続され、操作メニューを複合画像処理装置に提供する画像管理装置であって、
各ユーザと該ユーザが前記複合画像処理装置で利用する権限を有するサービスとを対応付けるサービス情報を記憶するサービス情報記憶手段と、
前記複画像処理装置から送信されたユーザ識別情報を受信し、受信したユーザ識別情報で特定されるユーザが利用可能なサービスを特定するサービス情報を、前記サービス情報記憶手段から取得するサービス情報取得手段と、
前記サービス情報取得手段から取得したサービス情報に基づいて、該ユーザが利用可能なサービスを選択するメニューを用意し、該メニューを前記複合画像処理装置に送信するメニュー送信手段と、
を備える画像管理装置。
【請求項３】
前記複合画像処理装置からその複合画像装置の機種を特定する機種情報を受信する機種情報受信手段と、
機種別に、その複合画像処理装置で利用可能な機能を特定する機能情報を記憶する機種別機能記憶手段と、
前記機種情報受信手段で受信した機種情報で特定される機種に対応する機能情報を前記機種別機能記憶手段から読み出す機能情報読み出し手段と、
を備え、
前記メニュー送信手段は、前記サービス情報取得手段で取得したサービス情報及び前記機能情報読み出し手段で読み出した機種機能情報に基づいて、メニューを作成する、
ことを特徴とする請求項２に記載の画像管理装置。
【請求項４】
前記複合画像処理装置からその複合画像装置の識別情報を受信する装置識別情報受信手段と、
装置識別情報と該装置識別情報で特定される装置で利用可能な機能とを対応付けるための機能情報を記憶する機能情報記憶手段と、
前記装置識別情報受信手段で受信した装置識別情報に対応する機能情報を前記機能情報記憶手段から読み出す機能情報読み出し手段と、
を備え、
前記メニュー送信手段は、前記サービス情報取得手段で取得したサービス情報及び前記機能情報読み出し手段で読み出した機能機種情報に基づいて、メニューを作成する、
ことを特徴とする請求項２に記載の画像管理装置。
【請求項５】
前記複合画像処理装置からその複合画像装置の機種を特定する機種情報を受信する機種情報受信手段と、
機種別に、その複合画像処理装置の表示手段のサイズを特定する表示情報を記憶する機種別表示情報記憶手段と、
前記機種情報受信手段で受信した機種情報で特定される機種に対応する表示手段に関する情報を前記機種別表示情報記憶手段から読み出す表示情報読み出し手段と、
を備え、
前記メニュー送信手段は、前記サービス情報取得手段で取得したサービス情報及び前記表示情報読み出し手段で読み出した表示サイズに基づいて、メニューを作成する、
ことを特徴とする請求項２に記載の画像管理装置。
【請求項６】
前記複合画像処理装置は、コピー機能と、ファクシミリ機能と、スキャナ機能と、前記ネットワークに接続された所定のサーバ上のファイルを操作する機能、および前記所定のサーバにファイルを登録する機能を備え、
前記メニュー送信手段は、コピー機能、ファクシミリ機能、またはスキャナ機能、ファイル操作機能、およびファイル登録機能、のうちユーザに権限が与えられているものを選択するための項目を送信する、
ことを特徴とする請求項２に記載の画像管理装置。
【請求項７】
前記複合画像処理装置に提供しているサービスの料金を記憶する料金記憶手段と、
前記サービス情報記憶手段に登録されているユーザ毎に、該ユーザが利用する権限を有するサービスの料金に関する情報を前記料金記憶手段から取得し、サービス料金を集計するサービス料金集計手段と、
をさらに備える、
ことを特徴とする請求項２に記載の画像管理装置。
【請求項８】
サービス用アプリケーションプログラムを記憶するプログラム記憶手段を備え、
前記サービス情報取得手段が取得したサービス情報によって特定されるサービスが、前記複合画像処理装置にインストールされていない場合、前記メニュー送信手段は、前記プログラム記憶手段からダウンロードしてから該サービスを実行するよう指示するメニューを用意し、前記複合画像処理装置に送信する、
ことを特徴とする請求項２に記載の画像管理装置。
【請求項９】
ユーザの識別情報に対応付けて、該ユーザの利用したサービスの識別情報を含む操作履歴情報を記憶する、履歴記憶部と、
該ユーザがあるサービスを所定の回数以上利用した場合、前記メニュー送信手段が該サービスを選択するメニューを用意しないように制御し、該ユーザによる該サービスの利用を制限する、機能制限手段と、
を備える、
ことを特徴とする請求項２に記載の画像管理装置。
【請求項１０】
前記複合画像処理装置を識別する装置識別情報と、少なくとも、前記複合画像処理装置の利用する消耗品の残量を含むステータス情報とを対応付けて受信するステータス情報受信手段を備え、
前記メニュー送信手段は、前記ステータス情報受信手段が受信したステータス情報に基づいて、ユーザが利用可能なサービスを選択するメニューとともに、メンテナンスメニューを用意し、該サービスメニューと該メンテナスメニューとを併せたメニュー画面を生成し、前記複合画像処理装置に送信する、
ことを特徴とする請求項２に記載の画像管理装置。  
【請求項１１】
前記ステータス情報は、少なくとも、前記複合画像処理装置の利用する消耗品の残量情報、または前記複合画像処理装置のハードウェアの状態に関する情報のいずれかを備え、
前記メニュー送信手段は、前記ステータス情報受信手段が受信したステータス情報が該消耗品の残量であって、該残量が所定量以下であると判断した場合、該消耗品を発注するためのメンテナンスメニューを用意し、該受信したステータス情報がハードウェアの異常を表す場合、メンテナンスの依頼を申し込むためのメニューを用意する、
ことを特徴とする請求項１０に記載の画像管理装置。
【請求項１２】
操作メニューを配信する画像管理装置にネットワークを介して接続される複合画像処理装置であって、
ユーザ識別情報の入力を受け付け、入力されたユーザ識別情報を前記画像管理装置に送信する送信手段と、
送信したユーザ識別情報に応答して前記画像管理装置において用意され、前記ユーザ識別情報で特定されるユーザに利用権限が与えられている機能のメニューを、前記画像管理装置から受信する受信手段と、
受信したメニューを表示する表示手段と、
ユーザの操作に応答して、前記メニューから任意の機能を選択する選択手段と、
前記選択手段によって選択された機能を実現する処理を実行する実行手段と、
を備える、
ことを特徴とする複合画像処理装置。
【請求項１３】
ネットワークを介して接続された複合画像処理装置に、操作メニューを提供する方法であって、
各ユーザと該ユーザが複合画像処理装置で利用する権限を有するサービスとを対応付けるサービス情報を記憶手段に記憶するステップと、
前記複画像処理装置から送信されたユーザ識別情報を受信し、受信したユーザ識別情報で特定されるユーザが利用可能なサービスを特定するサービス情報を、前記記憶手段から取得するステップと、
前記サービス情報を取得するステップで取得したサービス情報に基づいて、該ユーザが利用可能なサービスを選択するメニューを用意し、該メニューを前記複合画像処理装置に送信するステップと、
を備える方法。
【請求項１４】
コンピュータを、
各ユーザと、該ユーザがネットワークを介して接続された複合画像処理装置において利用する権限を有するサービスと、を対応付けるサービス情報を記憶するサービス情報記憶手段、
前記複画像処理装置から送信されたユーザ識別情報を受信し、受信したユーザ識別情報で特定されるユーザが利用可能なサービスを特定するサービス情報を、前記サービス情報記憶手段から取得するサービス情報取得手段、
前記サービス情報取得手段から取得したサービス情報に基づいて、該ユーザが利用可能なサービスを選択するメニューを用意し、該メニューを前記複合画像処理装置に送信するメニュー送信手段、
として機能させる、操作メニューを複合画像処理装置に提供するための、プログラム。
【発明の詳細な説明】
【技術分野】
【０００１】
本発明は、画像処理装置、方法、およびプログラムに関する。
【背景技術】
【０００２】
近年、コピー、ファクシミリ、スキャナなどの基本機能を備えるＭＦＰ（Multi-Function Peripheral）等の装置とドキュメント管理などのサービスを提供するサーバとがネットワークを介して接続された構成のシステムにおいて、ドキュメント管理サービスを含む様々なサービスを提供する技術に関する提案がなされている（例えば、特願２００５−１６００７１号明細書に開示の技術を参照）。このようなシステムによれば、ユーザはＭＦＰを操作して、与えられた権限の範囲内で、ネットワークを介して所定のサーバの提供するサービスを利用することができる。
【発明の開示】
【発明が解決しようとする課題】
【０００３】
このようなシステムにおいては、一台のＭＦＰを複数のユーザが共同で使用する場合が多い。したがって、企業などにおいては、ユーザの立場や権限によってＭＦＰから利用できるサービスを変えたいというニーズが高い。一方、所属団体は複数のＭＦＰを保有するため、ユーザは、どのＭＦＰからも常に同じサービスを利用できることが望まれる。
【０００４】
本発明は、上記実状を鑑みてなされたものであり、複数のＭＦＰから構成される画像処理システムにおいて、ユーザごとにカスタマイズされたメニュー画面をＭＦＰに提供することを目的とする。
【課題を解決するための手段】
【０００５】
上記目的を達成するため、本発明の第１の観点に係る画像処理システムは、
画像管理装置と、ネットワークを介して前記画像管理装置に接続され、複数機能を有する複合画像処理装置と、から構成される画像処理システムであって、
前記画像管理装置は、
各ユーザと、該ユーザが前記複合画像処理装置で利用する権限を有する機能を特定する情報と、を対応付ける機能情報を記憶する機能情報記憶手段と、
前記画像処理装置から送信されたユーザ識別情報を受信し、受信したユーザ識別情報で特定されるユーザが利用する権限を有する機能を特定する機能情報を、前記機能情報記憶手段から取得する機能情報取得手段と、
前記機能情報取得手段が取得した機能情報に基づいて、該ユーザが利用する権限を有する機能のメニューを用意し、該メニューを前記複合画像処理装置に送信するメニュー送信手段と、を備え、
前記複合画像処理装置は、
ユーザのユーザ識別情報の入力を受け付け、入力されたユーザ識別情報を前記画像管理装置に送信する手段と、
前記メニュー送信手段から送信されたメニューを受信し、受信したメニューを表示する表示手段と、
ユーザの操作に応答して、前記メニューから任意の機能を選択する選択手段と、
前記選択手段によって選択された機能を実現する処理を実行する実行手段と、
を備える、
ことを特徴とする。
【０００６】
さらに、本発明の第２の観点に係る画像管理装置は、
ネットワークを介して複合画像処理装置に接続され、操作メニューを複合画像処理装置に提供する画像管理装置であって、
各ユーザと該ユーザが前記複合画像処理装置で利用する権限を有するサービスとを対応付けるサービス情報を記憶するサービス情報記憶手段と、
前記複画像処理装置から送信されたユーザ識別情報を受信し、受信したユーザ識別情報で特定されるユーザが利用可能なサービスを特定するサービス情報を、前記サービス情報記憶手段から取得するサービス情報取得手段と、
前記サービス情報取得手段から取得したサービス情報に基づいて、該ユーザが利用可能なサービスを選択するメニューを用意し、該メニューを前記複合画像処理装置に送信するメニュー送信手段と、
を備えることを特徴とする。
【０００７】
また、前記画像管理装置は、
前記複合画像処理装置からその複合画像装置の機種を特定する機種情報を受信する機種情報受信手段と、
機種別に、その複合画像処理装置で利用可能な機能を特定する機能情報を記憶する機種別機能記憶手段と、
前記機種情報受信手段で受信した機種情報で特定される機種に対応する機能情報を前記機種別機能記憶手段から読み出す機能情報読み出し手段と、
を備え、
前記メニュー送信手段は、前記サービス情報取得手段で取得したサービス情報及び前記機能情報読み出し手段で読み出した機能機種情報に基づいて、メニューを作成する、
ようにしてもよい。
【０００８】
また、前記画像管理装置は、
前記複合画像処理装置からその複合画像装置の識別情報を受信する装置ＩＤ受信手段と、
装置ＩＤと該装置ＩＤで特定される装置で利用可能な機能とを対応付けるための機能情報を記憶する機能情報記憶手段と、
前記装置ＩＤ受信手段で受信した装置ＩＤに対応する機能情報を前記機能情報記憶手段から読み出す機能情報読み出し手段と、
を備え、
前記メニュー送信手段は、前記サービス情報取得手段で取得したサービス情報及び前記機能情報読み出し手段で読み出した機能機種情報に基づいて、メニューを作成する、
ようにしてもよい。
【０００９】
また、前記画像管理装置は、
前記複合画像処理装置からその複合画像装置の機種を特定する機種情報を受信する機種情報受信手段と、
機種別に、その複合画像処理装置の表示手段のサイズを特定する表示情報を記憶する機種別表示情報記憶手段と、
前記機種情報受信手段で受信した機種情報で特定される機種に対応する表示手段に関する情報を前記機種別表示情報記憶手段から読み出す表示情報読み出し手段と、
を備え、
前記メニュー送信手段は、前記サービス情報取得手段で取得したサービス情報及び前記表示情報読み出し手段で読み出した表示サイズに基づいて、メニューを作成する、
ようにしてもよい。
【００１０】
また、前記画像管理装置において、
前記複合画像処理装置は、コピー機能と、ファクシミリ機能と、スキャナ機能と、前記ネットワークに接続された所定のサーバ上のファイルを操作する機能、および前記所定のサーバにファイルを登録する機能を備え、
前記メニュー送信手段は、コピー機能、ファクシミリ機能、またはスキャナ機能、ファイル操作機能、およびファイル登録機能、のうちユーザに権限が与えられているものを選択するための項目を送信する、
ようにしてもよい。
【００１１】
また、前記画像管理装置は、
前記複合画像処理装置に提供しているサービスの料金を記憶する料金記憶手段と、
前記サービス情報記憶手段に登録されているユーザ毎に、該ユーザが利用する権限を有するサービスの料金に関する情報を前記料金記憶手段から取得し、サービス料金を集計するサービス料金集計手段と、
をさらに備える、
ようにしてもよい。
【００１２】
また、前記画像管理装置は、
サービス用アプリケーションプログラムを記憶するプログラム記憶手段を備え、
前記サービス情報取得手段が取得したサービス情報によって特定されるサービスが、前記複合画像処理装置にインストールされていない場合、前記メニュー送信手段は、前記プログラム記憶手段からダウンロードしてから該サービスを実行するよう指示するメニューを用意し、前記複合画像処理装置に送信する、
ようにしてもよい。
【００１３】
また、前記画像管理装置は、
ユーザの識別情報に対応付けて、該ユーザの利用したサービスの識別情報を含む操作履歴情報を記憶する、履歴記憶部と、
該ユーザがあるサービスを所定の回数以上利用した場合、前記メニュー送信手段が該サービスを選択するメニューを用意しないように制御し、該ユーザによる該サービスの利用を制限する、機能制限手段と、
を備える、
ようにしてもよい。
【００１４】
また、前記画像管理装置は、
前記複合画像処理装置を識別する装置識別情報と、少なくとも、前記複合画像処理装置の利用する消耗品の残量を含むステータス情報とを対応付けて受信するステータス情報受信手段を備え、
前記メニュー送信手段は、前記ステータス情報受信手段が受信したステータス情報に基づいて、ユーザが利用可能なサービスを選択するメニューとともに、メンテナンスメニューを用意し、該メニューを前記複合画像処理装置に送信する、
ようにしてもよい。  
【００１５】
また、前記画像管理装置において、
前記ステータス情報は、少なくとも、前記複合画像処理装置の利用する消耗品の残量情報、または、前記複合画像処理装置のハードウェアの状態に関する情報のいずれかを備え、
前記メニュー送信手段は、前記ステータス情報受信手段が受信したステータス情報が該消耗品の残量であって、該残量が所定量以下であると判断した場合、該消耗品を発注するためのメンテナンスメニューを用意し、該受信したステータス情報がハードウェアの異常を表す場合、メンテナンスの依頼を申し込むためのメニューを用意する、
ようにしてもよい。
【００１６】
さらに、本発明の第３の観点に係る複合画像処理装置は、
操作メニューを配信する画像管理装置にネットワークを介して接続される複合画像処理装置であって、
ユーザ識別情報の入力を受け付け、入力されたユーザ識別情報を前記画像管理装置に送信する送信手段と、
送信したユーザ識別情報に応答して前記画像管理装置において用意され、前記ユーザ識別情報で特定されるユーザに利用権限が与えられている機能のメニューを、前記画像管理装置から受信する受信手段と、
受信したメニューを表示する表示手段と、
ユーザの操作に応答して、前記メニューから任意の機能を選択する選択手段と、
前記選択手段によって選択された機能を実現する処理を実行する実行手段と、
を備える、
ことを特徴とする。
【００１７】
さらに、本発明の第４の観点に係る方法は、
ネットワークを介して接続された複合画像処理装置に、操作メニューを提供する方法であって、
各ユーザと、該ユーザが複合画像処理装置で利用する権限を有するサービスと、を対応付けるサービス情報を記憶手段に記憶するステップと、
前記複画像処理装置から送信されたユーザ識別情報を受信し、受信したユーザ識別情報で特定されるユーザが利用可能なサービスを特定するサービス情報を、前記記憶手段から取得するステップと、
前記サービス情報を取得するステップで取得したサービス情報に基づいて、該ユーザが利用可能なサービスを選択するメニューを用意し、該メニューを前記複合画像処理装置に送信するステップと、
を備える、
ことを特徴とする。
【００１８】
さらに、本発明の第５の観点に係るプログラムは、
コンピュータを、
各ユーザと、該ユーザがネットワークを介して接続された複合画像処理装置において利用する権限を有するサービスと、を対応付けるサービス情報を記憶するサービス情報記憶手段、
前記複画像処理装置から送信されたユーザ識別情報を受信し、受信したユーザ識別情報で特定されるユーザが利用可能なサービスを特定するサービス情報を、前記サービス情報記憶手段から取得するサービス情報取得手段、
前記サービス情報取得手段から取得したサービス情報に基づいて、該ユーザが利用可能なサービスを選択するメニューを用意し、該メニューを前記複合画像処理装置に送信するメニュー送信手段、
として機能させ、操作メニューを複合画像処理装置に提供する、
ことを特徴とする。
【発明の効果】
【００１９】
本発明を適用することで、ユーザごとにカスタマイズされたメニュー画面を提供することが可能となる。
【発明を実施するための最良の形態】
【００２０】
（実施形態１）
以下、本発明の実施の形態に係る画像処理システムについて図面を参照して説明する。
【００２１】
本画像処理システムは、図１に示すように、認証サーバ２と、複数のサービスサーバ３と，複数のＭＦＰ１（Multi-Function Peripherals）とがネットワークを介して相互に接続された構成を有している。
【００２２】
ＭＦＰ１は、コピー、ファクシミリ、スキャナなどのＭＦＰの基本機能に加えて、ドキュメント管理サービス機能を提供する、サービスサーバ３のクライアントとしての機能を備える。ＭＦＰ１は、図２に示すように、制御部１１０，ＲＡＭ（Random Access Memory）１１１，ＲＯＭ（Read Only Memory）１１２、記憶部１１３、外部メディアＩ／Ｆ（InterFace）１１４、Ｉ／Ｆ（InterFace）１１５、通信部１１６、印刷部１１８、スキャナ部１１９を備える。
【００２３】
制御部１１０は、ＣＰＵ（Central Processing Unit）等から構成されており、ＭＦＰ１の全体の制御を行う。また、制御部１１０は、記憶部１１３等にあらかじめインストールされた所定のアプリケーションプログラム（例えば、スプレッドシート表示アプリケーション、文書表示アプリケーション等）を起動して、電子ファイルの操作・処理（例えば、参照、印刷等）を実行する。尚、制御部１１０の動作の詳細については、後述する。
【００２４】
ＲＡＭ（Random Access Memory）１１１は、制御部１１０が行う処理に必要なデータ（例えば、電子ファイルのデータ等）を格納する揮発性メモリである。
【００２５】
ＲＯＭ（Read Only Memory）１１２は、制御部１１０がＭＦＰ１全体の制御を行うためのプログラム等を格納する不揮発性メモリである。例えば、ＲＯＭ１１２は、制御部１１０と認証サーバ２との間で電子ファイルを送受信するための制御を実行するプログラムを格納する。
【００２６】
表示装置１２２は、ドットマトリクスタイプの液晶表示装置等から構成され、このＭＦＰ１の出力装置の１つを構成し、任意の文字、記号、数字、図形、操作メニュー等を表示する。表示装置１２２は、中サイズの画面サイズを有する。
タッチパネル１２３は、接触式の入力装置であり、表示装置１２２と積層され、タッチパネル式表示装置を構成する。
ＩＣカードリーダ１２４は、ユーザ認証用のＩＣカードに記憶されているユーザＩＤを読み取る接触式または非接触式の読み取り装置である。
Ｉ／Ｆ（InterFace）１１５は、制御部１１０からの表示データを表示装置１２２に供給し、タッチパネル１２３からの入力データを制御部１１０に供給し、ＩＣカードリーダ１２４を介してＩＣカードと制御部１１０との間の通信を仲介する。
また、Ｉ／Ｆ１１５は、キーボード、マウス等の入力装置とのインタフェース機能を含んでいてもよい。
【００２７】
外部メディアＩ／Ｆ１１４は、ＣＤ、ＤＶＤ等のディスク状記録媒体のドライブ装置１２０、ＵＳＢメモリ等のメモリカード１２１からのデータの読みだし、およびメモリカード１２１へのデータの書き込みを行うためのインタフェースである。
【００２８】
記憶部１１３はＨＤＤ（Hard Disk Drive）等から構成され、制御部１１０が所定の動作するために必要なデータ等を格納する。また、記憶部１１３は、ＭＦＰ１が電子ファイルに対する各種の動作（例えば、参照、印刷など）を実行するためのソフトウェアアプリケーションを格納する。制御部１１０は、記憶部１３に格納されたアプリケーションプログラムをＲＡＭ１１１に展開し、該アプリケーションプログラムを実行することにより、各種ファイルに対する各種の操作を実行する。尚、本実施の形態では、前記所定のソフトウェアアプリケーションは記憶部１１３に格納されるが、ＲＯＭ１１２に格納されていてもよい。
【００２９】
通信部１１６は、ＮＩＣ（Network Interface Card）やモデムから構成され、ネットワーク５と電話回線網（ファクシミリ回線網）６とに接続するためのインタフェースと、を備え、ネットワーク５との間で、ＴＣＰ／ＩＰプロトコルに基づく通信を行い、また、電話回線網６との間でファクシミリ通信を行う。通信部１１６は、例えばモデム装置や赤外線通信装置等を含んでいてもよい。なお、ファクシミリ機能を備えないＭＦＰ１については、電話回線網６に接続されなくてもよい。
【００３０】
システムバス１１７は、制御部１１０、ＲＡＭ１１１、ＲＯＭ１１２、記憶部１１３、外部メディアＩ／Ｆ１１４、Ｉ／Ｆ１１５、通信部１１６、印刷部１１８、及び、スキャナ部１１９との間で命令やデータを転送するための伝送経路である。
【００３１】
印刷部１１８は、電子ファイルのデータ等を印刷する印刷装置を含む。すなわち、ユーザは、例えば前記タッチパネル１２３等の入力装置を用いて操作することによって、所望の電子ファイルのデータを印刷することができる。また、印刷部１１８は、紙の文書・絵・写真などを複写（コピー）する機能を持つ装置を含む。
【００３２】
スキャナ部１１９は、紙の文書・絵・写真などを読み込み、デジタルデータに変換して保存できるスキャナを含む。
【００３３】
ＭＦＰ１の具体的な概観を図３に示す。ＭＦＰ１は、給紙部、プリントエンジン等を備え印刷・複写ができる印刷部１１８、スキャナの機能を持つスキャナ部１１９、ファクシミリ・通信の機能を持つ通信部１１６（図示せず）を備えている。
【００３４】
次に、図１に示す認証サーバ２について説明する。認証サーバ２は、ユーザを認証し、ユーザ個別に、そのユーザに利用権限が与えられているサービスを選択可能なメニューを用意し、ＭＦＰ１に提供するものである。図４に示すように、認証サーバ２は、制御部２１０、ＲＡＭ２１１、ＲＯＭ２１２、記憶部２１３、表示部２１５、入力部２１６、通信部２１７、及び、バス２１８を備える。
【００３５】
制御部２１０は、ＣＰＵ（Central Processing Unit）等から構成されており、認証サーバ２の全体の制御を行う。
【００３６】
ＲＡＭ（Random Access Memory）２１１は、制御部２１０が行う処理に必要なデータを格納する揮発性メモリである。
【００３７】
ＲＯＭ（Read Only Memory）２１２は、制御部２１０が認証サーバ２全体の制御を行うためのプログラム等を格納する不揮発性メモリである。ＲＯＭ２１２には、制御部２１０がユーザを認証するための認証プログラムや、ユーザ個別のメニューを作成するためのメニュー作成プログラムなどが格納されている。
【００３８】
記憶部２１３はハードディスク装置などから構成され、会員情報ＤＢ２１３１（詳細は図６を参照）、サービス情報ＤＢ２１３２（詳細は図７を参照）、画面ＤＢ２１３３、機種情報ＤＢ２１３４（詳細は図８を参照）、サーバ情報ＤＢ２１３５（詳細は図９を参照）、レンタル情報ＤＢ２１３６、履歴情報ＤＢ２１３７などを備える。以下にこれらデータベースの構成例について説明する。
【００３９】
図６に示す、会員情報ＤＢ２１３１には、予め本システムの利用登録をしているユーザを識別するユーザＩＤをキーとして、氏名、認証用のパスワード、サービスＩＤ、所属団体、など、ユーザに紐付いた情報が登録されている。ユーザＩＤは、利用者を特定する識別情報である。氏名は、その利用者の氏名である。パスワードは、利用者（ＭＦＰ１を正に利用しようとしている者）の認証情報である。サービスＩＤは、サービス提供者の提供するサービスのうち、そのユーザが利用できるサービスの識別番号である。サービスＩＤについては、以下のサービス情報ＤＢ２１３２の説明部分にて詳述する。所属団体は、そのユーザの所属する団体である。
【００４０】
図７に示すサービス情報ＤＢ２１３２には、サービス提供者の提供するサービスに関する情報が登録される。具体的には、サービスを特定するサービスＩＤをキーとして、サービス名、メニュー、そして料金が登録される。サービス名はそのサービスの名称である。「メニュー」はそのサービスを選択することのできるメニューの名称である。例えば、サービスＩＤ、Ｓ０００１〜Ｓ０００５を保有するサービスは、「メニュー」項目に「メインメニュー」が記憶される。よって、サービスＩＤ、Ｓ０００１〜Ｓ０００５によって特定されるサービスはメインメニューから選択可能なサービスである。料金はサービス提供者がそのサービスを提供する際の料金である。
【００４１】
画面ＤＢ２１３３には、サービス情報ＤＢ２１３２に登録されている各サービスに対応して、操作画面に表示するパーツとしての画像データ、及び、操作画面でそのパーツが選択された場合の動作に関する情報が記憶される。図１０（ｂ）に示すメインメニューの一例を用いて説明する。図１０（ｂ）には、「ドキュメント管理サービスボタン」、「コピーボタン」、「ＦＡＸボタン」、および「スキャナボタン」が配置される。画面ＤＢ２１３３は、各サービスに対して、このように選択可能なメニューパーツ（この場合ボタン）を画像として記憶する。例えば、ドキュメント管理サービス（Ａ社）というサービスに対しては、「ドキュメント管理サービス（Ａ社）」というラベルを持つボタンの画像データと、ボタンを選択した場合の動作に関する情報が登録される。最終的に、認証サーバ２の制御部２１０は、当該メニューから選択できるサービスに対応する画像データを組み合わせて一つのメニュー画面データを作成する。そして、作成されたメニュー画面データはＭＦＰ１へと送信される。あるいは、認証サーバ２は当該メニューから選択できるサービスに対応する画像データをＭＦＰ１に対して送信し、ＭＦＰ１は当該画面データに基づきメニュー画面データを生成してもよい。ＭＦＰ１は画像プロセッサを搭載し、この画像データを表示装置１２２に表示する。画面ＤＢ２１３３に登録されるパーツ画像データ、およびパーツを選択した場合の動作に係る情報は、サービス情報ＤＢ２１３２にサービスが登録・更新される度に、生成されることが好ましい。
【００４２】
図８に示す機種情報ＤＢ２１３４は、認証サーバ２がメニューを提供する様々なＭＦＰ１の機種に関する情報を記憶する。機種情報ＤＢ２１３４の各レコードには、ＭＦＰ１の機種を特定する機種ＩＤと、その機種の表示装置１２２のサイズと、その機種の有する機能と、が格納される。
【００４３】
機種情報ＤＢ２１３４においては、各機種が、どのような機能を有しているかについての情報は、フラグによって管理する。例えば、図８のフィールド名に示される各種機能（スキャナ機能、印刷機能、高速印字機能、対応用紙サイズ（Ａ４のみ、またはＡ３〜Ａ０）、カラーコピー機能、フィニッシャー機能（帳合機能、紙揃え機能、ステープル機能、パンチ開け機能、等）、オートドキュメントフィーダ（ＡＤＦ）機能、等）の内、対応している機能がある場合は、そのフィールドに、対応している旨を示す情報を記憶する。対応していない場合は、何も記憶しないか、未対応である旨を示す情報を記憶してもよい。
【００４４】
なお、ここに示す以外の機能を機種情報ＤＢ２１３４に登録してもよい。或いは、本システム内の全てのＭＦＰ１が備える機能については、機種情報ＤＢ２１３４に登録せずに、デフォルト機能として扱っても良い。例えば、印刷機能が選択されている場合、機種情報ＤＢ２１３４に登録されていなくても、モノクロ印刷には対応している、としてもよい。
【００４５】
図９に示すサーバ情報ＤＢ２１３５は、各団体が利用可能なドキュメント管理サーバを特定するための情報を登録したデータベースである。各レコードには、団体名をキーとして、その団体が利用するドキュメント管理サーバに関する情報が登録される。
【００４６】
レンタル情報ＤＢ２１３６は、当該ＭＦＰ１がレンタル、又はリースされたものであるか否か、そしてレンタル、又はリースである場合、レンタル（リース）先団体名と、レンタル（リース）料情報とを対応付けて記憶するデータベースである。
【００４７】
履歴情報ＤＢ２１３７は、ユーザが本システムに含まれるＭＦＰ１に対して行った操作履歴を記憶するデータベースである。履歴情報ＤＢ２１３７は、操作を行ったユーザのＩＤ、操作内容、および操作の対象となったファイル名などの操作情報を対応付けて記憶する。
【００４８】
会員情報ＤＢ２１３１、サービス情報ＤＢ２１３２、画面ＤＢ２１３３、機種情報ＤＢ２１３４、サーバ情報ＤＢ２１３５、およびレンタル情報ＤＢ２１３６等に記憶される情報は、後述の入力部２１６から入力されても、ネットワーク５を介して他のコンピュータやシステムから送信されてもよい。
【００４９】
なお、会員情報ＤＢ２１３１、サービス情報ＤＢ２１３２、画面ＤＢ２１３３、機種情報ＤＢ２１３４、サーバ情報ＤＢ２１３５は、記憶部２１３内に保存される構成となっているが、各々がネットワーク５に接続される別のサーバ上に配置される構成にしてもよい。
【００５０】
認証サーバ２は、メンテナンス等を考慮して、表示部２１５や入力部２１６を備える。表示部２１５はは、ＬＣＤ（Liquid Crystal Display）等の出力装置を含む。入力部２１６は、任意のデータ・情報を入力する。
【００５１】
通信部２１７は、ＮＩＣ（Network Interface Card）等から構成されており、認証サーバ２をネットワーク５に接続するためのインタフェースである。通信部２１７は、例えばモデム装置や赤外線通信装置等を含んでいてもよい。
【００５２】
システムバス２１８は、制御部２１０、ＲＡＭ２１１、ＲＯＭ２１２、記憶部２１３、表示部２１５、入力部２１６、通信部２１７、の間で命令やデータを転送するための伝送経路である。
【００５３】
次に、図１に示すサービスサーバ３について説明する。サービスサーバ３は、電子ファイルを一元的に記憶・管理するサーバである。サービスサーバ３は、ネットワーク５を介して接続されたＭＦＰ１を含むクライアント機から、サービスサーバ３の管理下にあるファイルを操作（閲覧、印刷、削除、取り出し、など）したり、クライアントから送られてきたファイルを指定された位置へ登録したりすることを可能にするサービスを提供する。サービスサーバ３は、図５に示すように、制御部３１０、ＲＡＭ３１１、ＲＯＭ３１２、記憶部３１３、表示部３１５、入力部３１６、通信部３１７、及び、バス３１８等を備えるコンピュータである。以下それぞれについて説明する。
【００５４】
制御部３１０は、ＣＰＵ（Central Processing Unit）等から構成されており、サービスサーバ３の全体の制御を行う。
【００５５】
ＲＡＭ（Random Access Memory）３１１は、制御部３１０が行う処理に必要なデータ（例えば、電子ファイル等）を格納する揮発性メモリである。
【００５６】
ＲＯＭ（Read Only Memory）３１２は、制御部３１０がサービスサーバ３全体の制御を行うためのプログラム等を格納する不揮発性メモリである。ＲＯＭ３１２には、後述する記憶部３１３に記憶されるフォルダおよびファイルのアクセス権限を管理するプログラムの他、電子ファイルやフォルダ情報をＭＦＰ１へ送信・ＭＦＰ１から受信したりするプログラムなどが格納されている。
【００５７】
記憶部３１３は大容量のハードディスク装置などから構成され、ファイル格納部３１３１および、ファイル情報ＤＢ３１３２を備える。ファイル格納部３１３１は、サービスサーバ３が管理する電子ファイル（文書・画像・音声ファイルなど）を格納する。ファイル情報ＤＢ３１３２は、ファイル格納部３１３１に記憶されるファイルのフォルダ情報や、ファイル・フォルダのアクセス権に関する情報を記憶する。
【００５８】
サービスサーバ３は、メンテナンス等を考慮して、表示部３１５や入力部３１６を備える。表示部３１５はは、ＬＣＤ（Liquid Crystal Display）等の出力装置を含む。入力部３１６は、任意のデータ・情報を入力する。
【００５９】
通信部３１７は、ＮＩＣ（Network Interface Card）等から構成されており、認証サーバ２をネットワーク５に接続するためのインタフェースである。通信部３１７は、例えばモデム装置や赤外線通信装置等を含んでいてもよい。
【００６０】
システムバス３１８は、制御部３１０、ＲＡＭ３１１、ＲＯＭ３１２、記憶部３１３、表示部３１５、入力部３１６、通信部３１７、の間で命令やデータを転送するための伝送経路である。
【００６１】
以下、ＭＦＰ１から本画像処理システムの機能を利用するフローを説明する。
図１１は、ＭＦＰ１が立ち上がってから、メインメニューを表示するまでのフローである。
【００６２】
制御部１１０は、ユーザによって電源をＯＮされると、ＲＯＭから所定の起動プログラムを読み出し、表示装置１２２に図１０（ａ）に示すログイン画面を表示する。ログイン画面を表示すると、ユーザからの操作を待つ（ステップＳ１００１）。本ログイン画面は、他の画面に移った状態で数分間何ら操作が入力されなかった場合や、各機能の終了を入力した場合にも表示される。
【００６３】
ユーザは、ログイン情報（ユーザＩＤ、およびパスワード）を、タッチパネル１２３により入力するか、ユーザのＩＣカードをＩＣカードリーダ１２４に読み取らせて入力する。タッチパネル１２３により入力する場合、確認ボタンを押圧することで入力内容が決定される（ステップＳ１００２）。入力内容が決定されると、制御部１１０は当該ログイン情報とを認証サーバ２に送信し、認証結果を待つ（ステップＳ１００３）。なお、ユーザ認証のための情報入力方法はこれらに限られず、例えば生体認証などによっておこなってもよい。
【００６４】
認証サーバ２は、送信されたユーザＩＤとパスワードとを用いて、認証を行う（ステップＳ１０２１）。認証がＯＫであれば（ステップＳ１０２１；Ｙｅｓ）、認証サーバ２はその旨の通知をＭＦＰ１に送信し、後述するメニュー画面の表示動作を行う。認証がＮＧであれば（ステップＳ１０２１；Ｎｏ）、その旨の通知をＭＦＰ１に送信する。
【００６５】
認証がＯＫであるという通知を受けると、制御部１１０は、機種情報を認証サーバ２へと通信部１１６を通じて送信する（ステップＳ１００５）。認証サーバ２の制御部２１０は、通信部２１７からＭＦＰ１の送信したログイン情報を受信する。そして、制御部２１０は受信したユーザＩＤに基づいて、ユーザに権限の与えられているサービスに関する情報を特定する。すなわち、制御部２１０は、会員情報ＤＢ２１３１からユーザＩＤに対応するサービスＩＤを取得する（ステップＳ１０２２）。制御部２１０は、このサービスＩＤに対応するサービスを、ＭＦＰ１が提供できるか否かを、ＭＦＰ１から受信した機種を特定する情報に基づいて判定する（ステップＳ１０２３）。具体的には、制御部２１０は、ＭＦＰ１から受信した機種情報（機種ＩＤ）と、機種情報ＤＢ２１３４とを照らし合わせることで、当該ＭＦＰが、ユーザに権限が与えられているサービスを提供できるかを特定する。制御部２１０はＭＦＰ１から受信した機種に関する情報や、該ＭＦＰ１にログインしているユーザのＩＤを、該ユーザがＭＦＰ１からログオフ（ログインしてから数分間何ら操作が入力されなかった場合や、ユーザが各機能の終了を入力した場合にログオフされる）するまでＲＡＭ２１１に保存し、必要に応じて読み出す。
【００６６】
ユーザに対し利用権限が与えられているサービスを提供できると判断すると（ステップＳ１０２３；Ｙｅｓ）、制御部２１０は、画面ＤＢ２１３３を参照し、当該ユーザに対し権限が与えられているサービスに対応するパーツ画像データ（ボタンなど）と、それが選択された場合の動作（例えば特定のアプリケーションを起動するなど）に係る情報を取得する。制御部２１０はそれらパーツ画像を組み合わせて、一つのメニュー画面を作成する。さらに、制御部２１０は、ＭＦＰ１から、ステップＳ１００５で受信した機種情報に基づいて、メニュー画面をＭＦＰ１の表示装置１２２に適当なサイズに適合し、パーツ画像を操作した場合の動作情報とともにＭＦＰ１へと送信する（ステップＳ１０２４）。ＭＦＰ１は、通信部１１６を通じて受信したメニュー画面データを表示装置１２２に表示する（ステップＳ１００７）。
【００６７】
一方、受信した機種情報から、認証サーバ２の制御部２１０が、ＭＦＰ１はユーザに権限の与えられているサービスに対応していないと判断した場合、その旨をＭＦＰ１へと送信する（ステップＳ１０２３；Ｎｏ）。この場合、ＭＦＰ１の制御部１１０は該当サービスを利用できない旨の警告を表示装置１２２に表示する。あるいは、該当サービスを選択できる部品（ボタンなど）については表示しないようにしてもよい（ステップＳ１００６）。
尚、認証がＮＧであるとの通知を受けると（ステップＳ１０２１；Ｎｏ）、ＭＦＰ１は、ログインが失敗した旨を表示装置１２２に表示し（ステップＳ１００４）、再度ログイン情報の入力を促す画面を表示する（ステップＳ１００１）。
【００６８】
図１０（ｂ）および（ｃ）は、ログインが成功した場合の、ユーザＡ（ユーザＩＤ００００Ａをもつユーザ）、およびユーザＢ（ユーザＩＤ００００Ｂをもつユーザ）のメインメニューの例をそれぞれ示したものである。ユーザＡは、図６の会員情報ＤＢ２１３１に示すように、サービスＩＤ：Ｓ０００１、Ｓ０００３、Ｓ０００４、Ｓ０００５、Ｓ１００１、Ｓ１００２、およびＳ２００１を有するサービスを利用する権限が与えられているとする。認証サーバ２は、サービス情報ＤＢ２１３２を参照し、メインメニューから選択可能なサービスを特定する。即ち、「メニュー」欄に「メインメニュー」が登録されているサービスを取得する。メインメニューで選択可能であるサービスは、サービスＩＤ：Ｓ０００１、Ｓ０００３、Ｓ０００４、Ｓ０００５、を有するサービスである。よって、図１０（ｂ）に示すように、制御部２１０は、これらサービスＩＤに対応する、ドキュメント管理ボタン（Ａ社用）、コピーボタン、ファックスボタン、スキャナボタンを有したメインメニューを作成し、ＭＦＰ１へと送信する。そしてＭＦＰ１は受信したメニュー画面を表示装置１２２に表示する。
【００６９】
一方、ユーザＢはサービスＩＤ：Ｓ０００３、Ｓ０００４、Ｓ０００５、によって特定されるサービスを利用する権限が与えられている。よって、図１０（ｃ）に示すように、ＭＦＰ１のメインメニューには、サービスＩＤ：Ｓ０００３、Ｓ０００４、Ｓ０００５、に対応するサービスを選択可能な、コピーボタン、ファックスボタン、スキャナボタンが表示される。
【００７０】
以下同様にして、ユーザがメインメニューから各ボタンを選択すると、該ユーザに権限の与えられているサービスのみ実行可能なメニュー画面情報が認証サーバ２より、ＭＦＰ１へと送信される。
例えば、図１０（ｂ）のメインメニューからユーザＡがドキュメント管理ボタンを選択した場合の動作を説明する。
【００７１】
（ドキュメント管理ボタン）
ユーザＡがメインメニューでドキュメント管理ボタンを選択すると、ＭＦＰ１の制御部１１０はその旨を認証サーバ２に通知する。認証サーバ２の制御部２１０は、通知を受けると、会員情報ＤＢ２１３１を参照し、ドキュメント管理メニューでユーザＡに権限の与えられているサービスのＩＤが、Ｓ１００１（登録サービス）、およびＳ１００２（印刷サービス）であることを特定する。そして、制御部２１０はこれらサービスＩＤによって特定されるサービスに対応する画像データと、サービスが選択された場合の動作に関する情報と、を画面ＤＢ２１３３から取得し、ＭＦＰ１へと送信する。このとき、メニュー選択時の動作として、どのサービスサーバ３を使用すべきかについての情報も送信する。具体的には、認証サーバ２は、サーバ情報ＤＢ２１３５を参照し、ユーザＡの属する団体（会社Ａ）にドキュメント管理サービスを提供しているサーバを特定する（この場合サーバＡ）。認証サーバ２からメニュー画像と、メニュー選択時の動作に関する情報を受信すると、ＭＦＰ１は登録機能、および印刷機能が選択可能なメニューを表示部に表示する。
【００７２】
尚、ドキュメント管理メニューに表示されたボタンを選択すると、ＭＦＰ１は、認証サーバ２により指定されたサービスサーバ３とやり取りを行う。登録ボタンを選択すると、ＭＦＰ１は文書をスキャンし、サービスサーバ３の管理下にある記憶領域のユーザが指定した位置にスキャン文書を登録する。印刷ボタンを選択すると、サービスサーバ３の管理下にあるユーザが指定した位置に記憶されるファイルを選択し、印刷する。
【００７３】
（基本機能から選択可能なメニュー）
【００７４】
本実施の形態では、コピー機能や印刷機能などの基本機能のオプションについても、ユーザ毎に権限を与えることが可能である。例えば、カラーコピーの利用を特定のユーザのみに制限したい場合は、カラーコピーをコピーメニューから利用可能なサービスとしてサービス情報ＤＢ２１３２に登録する（図７参照）。そして会員情報ＤＢ２１３１では、権限を与えたいユーザにカラーコピーサービスを特定するサービスＩＤを登録し（図６のユーザＩＤ００００Ａを参照）、画面ＤＢ２１３３にはカラーコピー用のボタンの画像データ、および選択された場合の設定動作へのリンクを用意すればよい。これにより、例えば、ユーザＡが、メインメニューからコピーボタンを選択した場合に、カラーコピーを選択できる画面情報が認証サーバ２によって生成される。
【００７５】
ただし、各機能に対応していないＭＦＰ１も存在するため、機種情報ＤＢ２１３４に、ＭＦＰ１の各機種ごとに、対応している機能を登録する。認証サーバ２は、ユーザに権限の与えられているサービスのうち、機種情報ＤＢ２１３４を参照して、ユーザが操作しているＭＦＰ１の機種が対応しているサービスのみについて、メニュー画面情報を生成し、当該ＭＦＰ１へと送信する。
【００７６】
なお、説明のために、カラーコピー機能のみについて説明したが、図８に記載する基本機能のオプションのいずれに対しても同様に、ユーザごとに利用を制限することが可能である。即ち、ユーザに利用権限を与えたい基本機能オプションに対しサービスＩＤを割り与え、該サービスＩＤをサービス情報ＤＢ２１３２に登録する。そして、会員情報ＤＢ２１３１に、当該利用権限を与えたいユーザのＩＤに対応付けて該サービスＩＤを、登録すればよい。
【００７７】
ドキュメント管理サービスから利用する各基本機能（例えば印刷機能や登録機能から利用するスキャン機能）についても、ユーザに利用権限や、各ＭＦＰ１が対応している機能に応じて、異なるメニュー画面情報が認証サーバー２によって生成される。
【００７８】
（料金の請求）
次に、サービス提供者がサービス利用者に対して料金を請求するフローについて説明する。
所定の期間毎（例えば月毎）に、認証サーバ２の制御部２１０は会員情報ＤＢ２１３１を参照し、各ユーザの利用権限を与えられている全サービスを特定する情報を取得する。そしてそのユーザが利用権限を与えられている全サービスの料金をサービス情報ＤＢ２１３２から取得し集計する。制御部２１０は登録団体に所属する全ユーザに対し、この処理を行い、その金額を集計する。そして登録団体に対し、集計した金額を請求する。例えば、図６に示すようにユーザＡおよびユーザＣがＡ社に所属しているとする。このとき、ユーザＡ、ユーザＣに月々かかるサービス料は、それぞれ、１２００円と５００円であるため、Ａ社には合計１７００円が請求される。
【００７９】
さらに、認証サーバ２の記憶部２１３は、レンタル情報ＤＢ２１３６テーブルを参照し、各団体に課すレンタル、又はリース料を算出する。例えば、レンタル情報ＤＢ２１３６を参照して、レンタル（リース）先団体名がＡ社に対応付けられて記憶されるレンタル（リース）料金を加算すれば、Ａ社に請求するべきレンタル（リース）料が得られる。該算出されたレンタル（リース）料金を先に算出したサービス料に加算したり、レンタル（リース）料金に基づいて割引を適用したりして、各企業にサービスの利用料金を請求することが可能となる。
【００８０】
なお、本実施の形態では認証サーバ２にレンタル情報ＤＢ２１３６を保有させる構成とした。しかし、各ＭＦＰ１に（レンタル、又はリースであれば）レンタル（リース）先団体名とレンタル料を記憶させるようにしてもよい。そして、認証サーバ２は、本システムに含まれる全ＭＦＰ１から、レンタル（リース）情報を取得し、各団体別のレンタル（リース）料を集計してもよい。
【００８１】
本実施の形態では上記のように、団体毎ではなく、利用ユーザごとに定額料金が設定されているため、団体としても無駄を省くことができるうえ、ユーザも心理的にサービスを自由に利用することが可能となる。同じＭＦＰ１を異なる会社で共有している場合においても、各会社に請求すべき金額は明確となる。また、サービスを提供するサービス提供者も課金がしやすいという利点がある。
なお、本実施の形態では、各ユーザの所属団体の単位を企業としたが、部署単位等、さらに細く設定することも可能である。
【００８２】
（履歴管理）
本実施の形態に係る画像処理システムにおいては、ＭＦＰ１は、ユーザがＭＦＰ１に対して何かしらの操作を行った際に、操作の内容、操作を行ったユーザの識別情報等（ユーザＩＤ）等を含む該操作情報を必ず認証サーバ２に送信する。認証サーバ２は、受信した操作情報を、履歴情報ＤＢ２１３７に記憶する。これにより、仮にＭＦＰ１を利用してドキュメント管理されたファイルが不正にアクセスされた場合でも、どのファイルがアクセスされたのかを把握することが可能となる。
【００８３】
また、履歴情報に基づいて、ユーザがある特定のサービスを所定の回数以上利用できないようにすることも可能である。制御部２１０は、履歴情報から、各ユーザの利用した個々のサービスの回数を算出することが可能である。よって、ユーザがあるサービスを所定の回数以上利用した場合に、ステップＳ１０２２において、該サービスのサービス情報を取得しないようにすればよい。
【００８４】
あるいは、特定のサービスＩＤによって特定されるサービスがユーザによって利用された場合、上長やシステム管理者にその旨をメールなどで知らせることで、ユーザによる不正利用を管理することも可能となる。
履歴を管理することで、ユーザによるＭＦＰ１の無駄な利用（例えば無駄な印刷等）を抑止する効果も期待される。
【００８５】
（メンテナンス）
本実施の形態に係る画像処理システムにおいては、各ＭＦＰ１の制御部１１０は、定期的に（例えば１時間に一度）自分のステータス、即ち、ハードウェアや備品の状態、をチェックする。そして、トナーや定着オイルなどの消耗品が所定量以下になった場合や、ＭＦＰ１自体に異常が起きた場合（例えば使用不能である等）に、それら状態情報（以降ステータス情報と呼ぶ）を認証サーバ２へ送信する。認証サーバ２は、ステータス情報に応じて、メンテナンスを行うためのメニューを通常のサービス用のメニュー画面に配置したメニュー画面データをＭＦＰ１へ返信する。
【００８６】
メンテナンスを行うための画面を表示するまでのフローを図１２に示す。ここで、認証サーバ２は、システム内の全ＭＦＰ１のそれぞれについて、ＭＦＰ１の固体識別情報に対応付けて、各消耗品の取り扱い業者、点検が必要な場合に連絡する点検業者、等を記憶するステータステーブルを記憶部２１３に保有しているとする。また、認証サーバ２は、ステータス情報を送信してきたＭＦＰ１に、現在ログインしているユーザのＩＤをＲＡＭなどに記憶しているとする。また、数人のユーザにはメンテナンス権限を与えるために、メンテナンス権限に相当するサービスＩＤを該ユーザのＩＤに対応付けて会員情報ＤＢ２１３１に登録しているとする。
【００８７】
ＭＦＰ１は、定期的に、自分のステータス情報を、自分を識別する固体識別情報とともに、認証サーバ２へ送信する（ステップＳ２００１）。認証サーバ２の制御部２１０は、ステータス情報を送信したＭＦＰ１に現在ユーザがログインしているか否かを判断する（ステップＳ２１００）。ログインしていない場合（ステップＳ２１００；Ｎ）、ＭＦＰ１を操作するユーザがいないことを意味しているので、そのまま処理を終了し、メンテナンス画面を表示しない。
【００８８】
一方、ユーザがログインしている場合（ステップＳ２１００；Ｙ）、該ユーザがメンテナンス権限を有しているかを判断する（ステップＳ２１０１）。即ち、ログインユーザのユーザＩＤに対応付けて、メンテナンス権限に相当するサービスＩＤが、会員情報ＤＢ２１３１に登録されていれば、制御部２１０は該ユーザにメンテナンス権限が与えられていると判断する。
【００８９】
メンテナンス権限を有しているユーザがログインしている場合（ステップＳ２１０１；Ｙ）、ステップＳ２１０２〜２１０４の処理を行う。即ち、受信したステータス情報が、消耗品の消耗に関する情報であれば、制御部２１０はステータステーブルを参照し、取り扱い業者に該消耗品を発注するための発注画面情報を生成する（ステップＳ２１０２）。また、ステータス情報が、機器の異常を示すものであれば、ステータステーブルを参照して、点検を業者を特定し、該業者に依頼するためのメンテナンス依頼画面情報を生成する（ステップＳ２１０３）。そして制御部２１０は生成したメンテナンス画面情報（発注画面情報やメンテナンス依頼画面情報）を、現在ＭＦＰ１にログイン中のユーザに表示するために生成したサービス用のメニュー画面情報（例えば、ステップＳ１０２４で生成した画面情報）と併せて1つの画面情報を生成し、ＭＦＰ１へ送信する（ステップＳ２１０４）。ＭＦＰ１は受信した画面を表示装置１２２に表示する（ステップＳ２００２）。
メンテナンス権限ユーザがログインしていなければ（ステップＳ２１０１；Ｎ）、ステップＳ１０２４で生成された画面情報は、そのままＭＦＰ１へ送信される。
【００９０】
認証サーバ２によってメンテナンス画面情報が生成されるため、全てのＭＦＰ１に個別に点検業者や発注先を登録する必要がなく、管理者の負担を軽減することが可能となる。
【００９１】
（実施形態２）
上記実施形態では、ＭＦＰ１が提供する基本機能以外のサービスとして、文書管理サービスを提供する画像処理システムについて説明した。該文書管理サービスを利用する際に、文書をＭＦＰ１に表示するために必要なスプレッドシート表示アプリケーション、文書表示アプリケーション等のアプリケーションプログラムはＭＦＰ１の記憶部１１３に予め記憶されているものとした。本実施の形態では、必要に応じて、アプリケーションプログラムをダウンロードして、新たな基本機能以外のサービスを提供するＭＦＰ１について説明する。
【００９２】
本実施の形態における画像処理システムは前述の実施形態と同様の構成を備える。認証サーバ２は、さらに、固体情報ＤＢ２１３８を記憶部２１３に備える。
【００９３】
固体情報ＤＢ２１３８は、ＭＦＰ１を特定する情報である固体識別情報に対応付けて、該固体情報によって特定されるＭＦＰ１の機種を特定する機種ＩＤと、該ＭＦＰ１にどのアプリケーションプログラムがインストールされているかに関するインストール情報とを記憶する、データベースである。
【００９４】
図１３のフロー図を参照して、ユーザがＭＦＰ１へのログインに成功してから、メインメニューを表示するための処理について説明する。なお、ログインまでのステップは、図１１のステップＳ１００１〜Ｓ１００３、Ｓ１０２１と同様である。
【００９５】
ユーザ認証が成功すると、該ＭＦＰ１は認証サーバ２へ、ＭＦＰ１を特定する情報である固体識別情報を認証サーバ２へ送信する（ステップＳ１１０１）。認証サーバ２は、サービス情報ＤＢ２１３２を参照し、ログインＩＤに対応付けられたサービスＩＤ、即ち、該ユーザに利用権限の与えられているサービスのＩＤ、を取得する(ステップＳ１１２２)。
【００９６】
次いで、認証サーバ２の制御部２１０は、固体情報ＤＢ２１３８を参照し、ステップＳ１１０５で送信された固体識別情報に対応付けられている機種ＩＤを取得する。そして制御部２１０は、機種情報ＤＢ２１３４を参照し、当該取得した機種ＩＤに対応付けられている機種情報を取得する（ステップＳ１１２３）。
【００９７】
制御部２１０は、ステップＳ１１２２で取得した各サービスについてステップＳ１１２４〜Ｓ１１３１を行う。即ち、ステップＳ１１３１がＮの間、ログイン情報に対応付けられたサービスに対して、Ｓ１１２４〜Ｓ１１３０を実施する。
まず、制御部２１０は、機種情報ＤＢ２１３４を参照し、ユーザが現在操作している機種が、ユーザに利用権限の与えられているサービス（機能）に対応しているか否かを判断する（図１１のステップＳ１０２３と同様の処理）（ステップＳ１１２４）。対応している場合（ステップＳ１１２４；Ｙ）は、図１１のステップＳ１０２４と同様に、画面ＤＢ２１３３を参照し、現在注目のサービスに対応するパーツ画像データと、該パーツ画像を操作した場合の動作情報を取得（ステップＳ１１２５）し、ステップＳ１１３１へと進む。
【００９８】
一方、現在注目のサービスにＭＦＰ１が対応していない場合（ステップＳ１１２４；Ｎ）、制御部２１０は該サービスが既に当該ＭＦＰ１にインストールされているか否かを判断する（ステップＳ１１２６）。インストール済みかどうかは、固体情報ＤＢ２１３８を参照して、該データベースに、当該ＭＦＰ１に対応付けられて、サービスが登録されているか否かによって判断する。登録されていれば、該サービスが該ＭＦＰ１にインストール済みであり、該ＭＦＰ１からサービスを実行することが可能であることを意味する。
【００９９】
サービスがインストール済みであれば（ステップＳ１１２６；Ｙ）、ステップＳ１１２５に進み、現在注目のサービスに対応するパーツ画像データと、該パーツ画像を操作した場合の動作情報を取得し、ステップＳ１１３１へと進む。
サービスがインストールされていない場合（ステップ、Ｓ１１２６；Ｎ）、制御部２１０は、サービスがダウンロード可能なのか（ステップＳ１１２７）、そして、ダウンロードしたプログラムをインストール可能なのかどうか（ステップＳ１１２８）を判断する。
【０１００】
ダウンロード可能サービスであるかどうかは、認証サーバ２の記憶部２１３にダウンロード可能サービス一覧を記憶するテーブルを保有させ、該テーブルに該サービスが登録されているか否かによって判断すればよい（登録されていればダウンロード可、いなければダウンロード不可）。
【０１０１】
一方、サービス用のアプリケーションプログラムを当該ＭＦＰ１にインストール可能であるか否かについては次のように判断する。本実施の形態では、機種情報ＤＢ２１３４には、各機種ＩＤによって特定される機種の機能情報のほかに、ＯＳやＣＰＵの情報などを登録する。制御部２１０は、これら情報（ＯＳやＣＰＵの情報）に基づいて、当該サービス用アプリケーションプログラムを当該ＭＦＰ１にインストールできるか否かを判断する。
【０１０２】
ダウンロードが可能でない（ステップＳ１１２７；Ｎ）、あるいは、インストールが可能でない（ステップＳ１１２８；Ｎ）場合、制御部２１０は、現在注目のサービスは、メニューに表示しないため、ステップＳ１１３１へと進む。そして、ステップＳ１１２２で取得したサービスが他にもある場合、該サービスに対してステップＳ１１２４から処理を実行する。
【０１０３】
現在注目しているサービスが、当該ＭＦＰ１にインストールはされていないが、ダウンロード可能で、さらにインストール可能であると判断すると（ステップＳ１１２６；Ｎ、Ｓ１１２７；Ｙ、Ｓ１１２８；Ｙ）、制御部２１０は、画面ＤＢ２１３３を参照し、ステップＳ１１２５と同様に、まず、現在注目のサービスに対応するパーツ画像データと、該パーツ画像を操作した場合の動作情報を取得（ステップＳ１１２９）する。さらに、パーツ選択時には、当該サービスのインストール処理を行ってから、ステップＳ１１２９で取得した動作を行うことを、動作情報として追加設定する（ステップＳ１１３０）。
【０１０４】
制御部２１０は、このようにしてステップＳ１１２２で取得した、ユーザがメインメニューにおいて権限を与えられている全サービスに対し、ステップＳ１１２４〜１１２０を実施する。全サービスに対して処理が終了すると（ステップＳ１１３１；Ｙ）、得られた全パーツ画像と、パーツ画像を選択した際の動作情報とに基づいて、メインメニュー画面を作成する。さらに、制御部２１０は、ＭＦＰ１から、ステップＳ１１０１で受信した機種情報に基づいて、メニュー画面をＭＦＰ１の表示装置１２２に適当なサイズに適合し、パーツ画像を操作した場合の動作情報とともにＭＦＰ１へと送信する（ステップＳ１１３１）。ＭＦＰ１は、通信部１１６を通じて受信したメニュー画面データを表示装置１２２に表示する（ステップＳ１１０２）。
【０１０５】
ＭＦＰ１の表示装置１２２に表示されたメニュー画面を操作して、ＭＦＰ１にまだインストールされていなサービス機能をユーザが選択した場合、ＭＦＰ１は、パーツ画像に対応付けられた動作処理情報に従って、まず、当該サービスのインストール要求を認証サーバ２へ送信する。該インストール要求を受け取った認証サーバ２は、所望のサービス用のアプリケーションプログラムをＭＦＰ１へと送信する。ＭＦＰ１は受信した該アプリケーションプログラムをインストールした後、パーツ画像に対応付けられた動作処理を実行する。なお、アプリケーションをインストールする前に、インストールするか否かを問い合わせる画面を表示して、ユーザに選択できるようにしてもよい。ＭＦＰ１が当該サービスのプログラムのインストールに成功すると、その旨を認証サーバ２へ送信する。認証サーバ２の制御部２１０は、固体情報ＤＢ２１３８に、当該ＭＦＰ１の固体識別情報に対応付けて、インストールされたサービスのＩＤを登録する。
【０１０６】
以下に、ダウンロード可能なサービスの例を示す。なお、以下のサービスにおいてＭＦＰ１がクライアントとして機能する場合、サービスサーバ３がサーバとして機能するものとする。
【０１０７】
（申請サービス）
申請サービスは、ドキュメント管理サービスと連携したサービスである。申請サービスでは、まずＭＦＰ１のスキャナ部１１９が文書をスキャンする。次いで、ＭＦＰ１の制御部１１０は該スキャン文書に記載された構成をチェックする。問題が無ければ該スキャン文書をサービスサーバ３（ドキュメント管理サービスを提供するサーバ）へ送信する。構成に問題があれば（例えば、記載漏れがある等）、ＭＦＰ１の表示装置１２２に、文書に問題がある旨のコメントを表示し、該文書をサービスサーバ３へ送信しない。本サービスは所定の様式の申請書などをサーバで管理する場合等に利用する。
なお、申請印刷サービスを実行する場合、ＭＦＰ１は、スキャナ機能に対応している必要がある。
【０１０８】
（帳票印刷サービス）
帳票印刷サービスは、ドキュメント管理サービスと連携したサービスであり、サービスサーバ３の提供するドキュメント管理サービスの管理下にあるエクセルファイルやアクセスファイルなどを、帳票テンプレートを適用して、ＭＦＰ１で印刷するものである。帳票印刷サービスでは、まず、ユーザは、ＭＦＰ１の表示装置１２２に表示される画面の指示に従って、印刷したいファイルをサービスサーバ３からダウンロードする。次いで、ＭＦＰ１は、サービスサーバ３から、記憶部３１３に記憶されている帳票テンプレートの一覧情報と、各テンプレートに対応付けて、該テンプレートを特定するテンプレート識別情報とを取得する。ＭＦＰ１は、取得した該テンプレートの一覧情報を選択可能に表示装置１２２に表示する。
【０１０９】
ユーザがＭＦＰ１のタッチパネル１２３を操作して、表示された帳票テンプレートのうちから１つを選択すると、ＭＦＰ１は選択された帳票テンプレートを特定するテンプレート識別情報と共に、ダウンロード要求をサービスサーバ３に送信する。サービスサーバ３は要求に応じて、送信されたテンプレート識別情報によって特定される帳票テンプレートをダウンロード要求の送信元であるＭＦＰ１へ送信する。ＭＦＰ１は先にダウンロードしたエクセルファイルやアクセスファイルに該送信された帳票テンプレートを適用して、帳票を印刷する。
帳票印刷サービスを実行する場合、ＭＦＰ１は、印刷機能として、高速印刷、仕分け機能、Ａ３以上の用紙、等に対応している必要がある。
【０１１０】
（地図印刷サービス）
地図印刷サービスは、ＭＦＰ１を操作して入力した住所情報から、当該住所情報付近の地図情報を印刷するサービスである。サービスサーバ３は記憶部３１３に住所情報に対応付けて、その近辺の地図情報が記憶される。ユーザは、ＭＦＰ１に表示される画面の指示に従って、住所を入力する。ＭＦＰ１は入力された住所情報をサービスサーバ３へと送信する。サービスサーバ３は、受信した住所情報に対応付けて記憶される地図情報を記憶部３１３から取得し、当該ＭＦＰ１へ送信する。そして、当該ＭＦＰ１は、受信した地図画像情報を印刷する。
地図印刷サービスを実行する場合、ＭＦＰ１は、カラー印刷機能に対応している必要がある。
【０１１１】
（受発注サービス）
受発注サービスは、ＭＦＰ１を利用して受発注を行うサービスである。サービスサーバ３の記憶部３１３には、ネットワークを介して接続される受発注システム等から送信された受注情報が蓄積される。ユーザが受注サービスの実行をＭＦＰ１の入力装置を操作して指示すると、ＭＦＰ１はサービスサーバ３に新たに受発注情報が記憶部３１３に記憶された否かを問い合わせる、問い合わせメッセージを送信する。ＭＦＰ１は、新たな受注情報が記憶された場合は、その受注情報を問い合わせ元のＭＦＰ１へと送信する。ＭＦＰ１は送信された受注情報を印刷する。
【０１１２】
一方、発注を行う場合は、申請サービスと同様の処理を行えばよい。発注用の申請書をスキャナ部１１９でスキャンし、スキャン文書は、サービスサーバ３の記憶部３１３の保有する、発注文書を管理するフォルダなどに保存される。受発注システムは定期的にこのフォルダを参照し、発注文書が新たに記憶されている場合は、発注文書に基づいて発注を行う。
受発注サービスを実行する場合、ＭＦＰ１は、スキャナ機能、印刷機能に対応している必要がある。
【０１１３】
以下同様に、メインメニューから選択される他のメニューについても、必要に応じてサービスをダウンロードするようにする。
【０１１４】
なお、第１の実施形態において説明したドキュメント管理サービスについても、本実施の形態の各サービスのように、認証サーバ２からダウンロードできるようにしてもよい。
【０１１５】
以上説明したように、上記実施の形態では、認証サーバ２が、ＭＦＰ１からのユーザに係るログイン情報に基づいて、ユーザ毎にカスタマイズされたメニュー画面をＭＦＰ１に提供する。認証サーバ２が介在することで、メインメニューだけでなく、サブメニューのカスタマイズをユーザ個別に行うことが可能となる。認証サーバ２が一括して、ユーザの利用可能なサービス情報を管理しているため、単にユーザの立場や権限によってＭＦＰ１から利用できるサービス内容が変更できるだけでなく、ＭＦＰ毎に設定を行うことなく、ユーザに対して複数のＭＦＰ１において常に同じサービスを提供することが可能となる。これにより、システム管理者の労力を大幅に軽減することが期待される。さらに、ＭＦＰ１の送信する機種情報に基づいてメニューのサイズを変更したり、メニューから選択できる機能を制限することで、幅広いＭＦＰに対応することが可能となる。また、ユーザが利用できないサービスに関するメニューがＭＦＰ１に表示されないため、メニューがシンプルになり、操作性が向上する。
【０１１６】
上記実施の形態では、ドキュメント管理の提供するサービスやオプション、およびＭＦＰの機能をサービス情報ＤＢ２１３２に登録したが、個人のよく利用する設定や、ＭＦＰ１の一連の操作を登録しても良い。よく利用する設定とは、例えば、印刷の場合、２ページを１ページに集約するなどである。よく利用する一連の操作とは、例えば、ドキュメントをスキャンして所定の宛先にＦＡＸするとともにドキュメント管理システムに保存する、などである。
【０１１７】
さらに、サービス情報ＤＢ２１３２に登録するサービスは、有料であっても無料であってもよい。上述したカラーコピーサービスを無料のサービスとして登録した場合、ユーザに対してサービスの利用を制限することが可能となる。すなわち、そのサービスＩＤが会員情報ＤＢに登録されていない限り、ユーザは、そのサービスの利用が許可されない。サービスだけでなく、各サービスの細かいオプション内容をサービス情報ＤＢ２１３２に登録し、そのオプション画面画像を用意し、これらオプションを利用できるユーザを指定することで、ユーザごとにより細かいカスタマイズ画面をＭＦＰ１に表示することが可能となる。
【０１１８】
上記実施の形態では、サービス情報ＤＢ２１３２に登録されているサービスＩＤを、会員情報ＤＢ２１３１に登録することで、ユーザにそのサービスＩＤの特定するサービスの使用権限を与えるようにした。しかし、逆に会員情報ＤＢ２１３１に登録することで、ユーザにそのサービスＩＤの特定するサービスの使用権限を与えないようにしてもよい。この場合、デフォルトのメニューを画像ＤＢに用意しておき、このデフォルトのメニューのうち、ユーザが利用を制限されている機能をメニューに表示しないようにしてもよい。
【０１１９】
なお、上記実施の形態では、説明のため選択的にいくつかのサービスやＭＦＰ１の機能について詳述したが、提供するサービスやＭＦＰ１の機能はこれらに限定されるものではない。
【０１２０】
また、第１の実施形態では、認証サーバ２にＭＦＰ１の機種を通知するために、機種情報自体をＭＦＰ１が認証サーバ２に送信するが、第２の実施形態のようにＭＦＰ１の個体識別情報を認証サーバに送信するようにしてもよい。この場合、認証サーバ２は、ＭＦＰ１の個体識別情報と機種情報を対応付けるテーブルを記憶部にさらに保有する必要がある。認証サーバ２はこのテーブルから、ＭＦＰ１の機種を特定する。そして、認証サーバ２は機種情報ＤＢ２１３４を参照し、そのＭＦＰ１の機種が、ユーザに権限の与えられているサービスを提供できるかを判断する。
【０１２１】
また、上記実施の形態では、画面ＤＢ２１３３には、メニューを構成するパーツ画像が記憶されるが、パーツ画像ではなく、部品定義ファイル（各部品の動作に係る情報を含む）を記憶させてもよい。認証サーバ２はこれら部品定義ファイルから一つのメニュー定義ファイルを作成しＭＦＰ１へと送信する。この場合、ＭＦＰ１側では受信したメニュー定義ファイルを表示装置１２２に表示できる形式に変換するアプリケーションを備えることで、メニュー定義ファイルを表示装置１２２に表示する。
【０１２２】
上記実施の形態に係るＭＦＰ１は、プリンタユニット、スキャナユニットなどの複数の機能を備えたＭＦＰである。しかしながら、スキャナ、コピー機、プリンタ、ファクシミリ等の単体でもよく、それらが組み合わさったものでもよい。ＭＦＰ１は、オフィス内に配置されることはもちろん、例えば、サテライトオフィス、コンビニエンスストア、郵便局などの、外出先に置かれていてもよい。要は、ネットワーク５を介して、認証サーバ２およびサービスサーバ３に接続できればよい。
【０１２３】
上記実施の形態では、ＭＦＰ１、認証サーバ２、サービスサーバ３の動作プログラムがメモリ等に予め記憶されているものとして説明した。しかし、上述の処理動作を実行させるためのプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをＭＦＰ１、認証サーバ２、サービスサーバ３のそれぞれにインストールすることにより、上述の処理動作を実行をする装置を構成してもよい。
【０１２４】
また、プログラムをインターネット等の通信ネットワーク上の所定のサーバ装置が有するディスク装置等に格納しておき、例えば、搬送波に重畳させて、ＭＦＰ１や認証サーバ２、そしてサービスサーバ３にダウンロード等するようにしてもよい。さらに、通信ネットワークを介してプログラムを転送しながら起動実行することによっても、上述の処理を達成することができる。
【０１２５】
なお、上記実施の形態に係る認証サーバ２やサービスサーバ３は、専用のハードウェアによっても実現することができる。
【図面の簡単な説明】
【０１２６】
【図１】本画像処理システムの概要を説明する図である。
【図２】ＭＦＰの構成を説明する図である。
【図３】ＭＦＰの概観を示す図である。
【図４】認証サーバの構成を説明する図である。
【図５】サービスサーバの構成を説明する図である。
【図６】会員情報ＤＢの構成例を示す図である。
【図７】サービス情報ＤＢの構成例を示す図である。
【図８】機種情報ＤＢの構成例を示す図である。
【図９】サーバ情報ＤＢの構成例を示す図である。
【図１０】ＭＦＰの表示装置に出力される画面の例を示す図である。
【図１１】メニュー画面表示処理を説明するフロー図である。
【図１２】メンテナンスメニューを表示するフロー図である。
【図１３】本発明に係る第２の実施形態における、メニュー画面表示処理を説明するフロー図である。
【符号の説明】
【０１２７】
１  ＭＦＰ  
２  認証サーバ
３  サービスサーバ
５  ネットワーク
１１０  制御部
１１１  ＲＡＭ
１１２  ＲＯＭ
１１３  記憶部
１１４  外部メディアＩ／Ｆ
１１５  Ｉ／Ｆ
１１６  通信部
１１７  システムバス
１１８  印刷部
１１９  スキャナ部
１２０  ドライブ装置（ＣＤ／ＤＶＤ）
１２１  記録メディア（メモリカード）
１２２  表示装置
１２３  タッチパネル
１２４  ＩＣカードリーダ
２１０  制御部
２１１  ＲＡＭ
２１２  ＲＯＭ
２１３  記憶部
２１５  表示部
２１６  入力部
２１７  通信部
２１３１  会員情報ＤＢ
２１３２  サービス情報ＤＢ
２１３３  画面ＤＢ
２１３４  機種情報ＤＢ
２１３５  サーバ情報ＤＢ
２１３６  レンタル情報ＤＢ
２１３７  履歴情報ＤＢ
２１３８  固体情報ＤＢ
３１０  制御部
３１１  ＲＡＭ
３１２  ＲＯＭ
３１３  記憶部
３１５  表示部
３１６  入力部
３１７  通信部
３１３１  ファイル格納部
３１３２  ファイル情報ＤＢ
【図１】
2008104143.tif 000003
【図２】
2008104143.tif 000004
【図３】
2008104143.tif 000005
【図４】
2008104143.tif 000006
【図５】
2008104143.tif 000007
【図６】
2008104143.tif 000008
【図７】
2008104143.tif 000009
【図８】
2008104143.tif 000010
【図９】
2008104143.tif 000011
【図１０】
2008104143.tif 000012
【図１１】
2008104143.tif 000013
【図１２】
2008104143.tif 000014
【図１３】
2008104143.tif 000015